(57)【要約】【課題】本発明は、指針が指示する文字板の指標を瞬時に読み取り可能にして文字板の視認性を向上させた計器用指針の照明構造を提供することを目的とするもものである。【解決手段】文字板２の裏面側に設けられた光源１０から出射される照明光２８を指針基部１９側から導光性の指針６に受光させ、指針先端２６側に導光させる。指針６の指針先端２６側の厚さを指針基部１９側の厚さよりも若干小さい程度の厚さにして指針６の上下方向に光らせるようにする。指針先端２６に反射用斜面２７を設けて、指針先端から拡散光３２を前方下向きに照明することで、文字板２の指標５をスポット的に光らせることにより、指標５の視認性を向上させる。【選択図】              図２
2004233292.tif 000002
【特許請求の範囲】
【請求項１】
文字板の裏面側に設けられた光源から出射される照明光を導光すると共に該照明光を上方の文字板側へ反射する反射面を有する導光体と、前記文字板の表面に沿って回動自在であって指針基部に前記反射面から反射光を受光して長手方向に導光する導光性の指針本体を有する指針と、を備える計器用指針の照明構造において、
前記指針本体は、該指針本体の先端側が指針基部側の厚さよりも若干小さい程度の厚さを有すると共に、前記指針本体の指針先端に前記指針本体に導光にされる照明光を指針先端の下方周囲に拡散可能な反射用斜面を設けたことを特徴とする計器用指針の照明構造。
【請求項２】
前記指針本体は、前記反射用斜面が前記指針先端に形成した前方下向きの円弧状面であると共に、前記指針本体の長手方向に沿う下面側にホットスタンプを有することを特徴とする請求項１に記載の計器用指針の照明構造。
【請求項３】
前記指針本体は、前記反射用斜面が前記指針先端に形成した前方下向きの傾斜面であると共に、指針本体の長手方向に沿う厚さ方向の中間にホットスタンプを有することを特徴とする請求項１に記載の計器用指針の照明構造。
【請求項４】
前記指針本体は、前記反射用斜面が指針先端を切り欠いて形成される上下の傾斜面であると共に、前記指針本体の長手方向に沿う下面側及び前記上下の傾斜面にホットスタンプをそれぞれ有することを特徴とする請求項１に記載の計器用指針の照明構造。
【請求項５】
前記指針本体は、前記反射用斜面が前方下向きの傾斜面と該傾斜面の左右の縁部を切り欠いた傾斜面であると共に、指針本体下面側にホットスタンプを有することを特徴とする請求項１に記載の計器用指針の照明構造。
【発明の詳細な説明】
【０００１】
【発明の属する技術分野】
本発明は、計器用指針の照明構造に関わり、詳細には、例えば車両用の計器に用いられる計器用指針の照明構造に関わるものである。
【０００２】
【従来の技術】
【０００３】
【発明の属する技術分野】
従来、計器用指針の照明構造として、指針の厚さは先細りに傾斜している。そして、文字板裏面側の光源からの照明光を導光体を介して指針軸近傍の反射部に導き、この反射部からの照明光を指針基部の複数の反射面を有する受光部において反射し、さらに指針本体の長手方向沿って斜め方向へジグザグに反射することにより指針及び計器の指標を照明する構造になっていた（特許文献１参照）。
【０００４】
また、計器及び計器用指針の別の照明構造として、文字板を裏面側から照明する導光体の表裏側に照明用導光部をそれぞれ配置して、指針基部への反射面積を大きくし、指針基部の受光部への発光照明を大きくすることで、指針の輝度増大を図ったものが知られている（特許文献２参照）。
【０００５】
【特許文献１】
特開平９−７２７６２号公報
【特許文献２】
特開平９−１３３５５４号公報
【０００６】
【発明が解決しようとする課題】
しかしながら、上述した「特許文献１」においては、指針基部の反射部に複数の反射面を設け指針の斜面の反射を利用して、指針全体を上方に均一に発光させているが、指針先端の下側に時位置している文字板の目盛及び文字等の指標には、指針からの照明光は投光されていなかった。このため、指針が指示する文字板の指標は、瞬時には読み取り難くい問題があった。
【０００７】
また、「特許文献２」においては、指針の受光量を増大させて指針の発光量を大きくしているが、指針の傾斜面を反射する反射光は「特許文献１」と同様に上方に向いていて、指針が指示している文字板の指標には大きな照明光は照明されていなかった。このため、指針が指示する文字板の指標は、瞬時には読み取り難くい問題があった。
【０００８】
本発明は、指針が指示する文字板の指標を瞬時に読み取り可能にして文字板の視認性を向上させた計器用指針の照明構造を提供することを目的とするものである。
【０００９】
【課題を解決するための手段】
本発明は、上述事情に鑑みなされたものであって、請求項１に記載の発明は、文字板の裏面側に設けられた光源から出射される照明光を導光すると共に該照明光を上方の文字板側へ反射する反射面を有する導光体と、前記文字板の表面に沿って回動自在であって指針基部に前記反射面から反射光を受光して長手方向に導光する導光性の指針本体を有する指針と、を備える計器用指針の照明構造において、前記指針本体は、該指針本体の先端側が指針基部側の厚さよりも若干小さい程度の厚さを有すると共に、前記指針本体の指針先端に前記指指針本体に導光される照明光を指針先端の下方周囲に拡散可能な反射用斜面を設けたことを特徴としている。
【００１０】
このように構成された請求項１の発明では、指針本体の先端側の厚さを指針基部側の厚さよりも若干小さい程度に厚く形成したことで、指針基部側から導光される照明光は、指針の上下方向に光らせることができる。そして、指針先端に反射用斜面を設けたので、指針を導光される照明光を反射用斜面により指針先端の下方周囲に拡散させて、文字板の指標をスポット的に光らせることができる。これにより、文字板の指標を瞬時に読み取ることができて、計器の視認性を向上させることができる。
【００１１】
また、請求項２に記載の発明は、前記指針本体は、前記反射用斜面が前記指針先端に形成した前方下向きの円弧状面であると共に、前記指針本体の長手方向に沿う下面側にホットスタンプを有することを特徴としている。
【００１２】
このように構成された請求項２の発明では、指針本体の先端側の厚さを指針基部側の厚さよりも若干厚くすると共に、指針本体下側の長手方向にホットスタンプを設けてあるので指針本体上側を光らせることができる。そして、指針先端に前方下向きの円弧状面を設けたことにより、指針本体を導光される照明光は指針先端の下方周囲を照明することができる。これにより、文字板の指標を瞬時に読み取ることができて、計器の視認性を向上させることができる。
【００１３】
また、請求項３に記載の発明は、前記指針本体は、反射用斜面が前記指針先端に形成した前方下向きの傾斜面であると共に、指針の長手方向に沿う厚さ方向の中間にホットスタンプを有することを特徴としている。
【００１４】
このように構成された請求項３の発明では、前記指針本体を厚くすると共に、指針本体の長手方向に沿う厚さ方向の中間にホットスタンプを設けてあるので、指針本体の上側及び下側を光らせることができる。そして、指針先端に前方下向きの傾斜面からなる反射用斜面を設けたことにより、指針本体を導光される照明光は指針先端の下方周囲を照明することができる。これにより、文字板指標を瞬時に読み取ることができて、計器の視認性を向上させることができる。
【００１５】
また、請求項４に記載の発明は、前記指針本体は、前記反射用斜面が指針先端を切り欠いて形成される上下の傾斜面であると共に、前記指針本体の長手方向に沿う下面側及び前記上下の傾斜面にホットスタンプをそれぞれ有することを特徴としている。
【００１６】
このように構成された請求項４に記載の発明では、指針本体を厚くすると共に指針本体下側の長手方向及び指針先端の上下の傾斜面にホットスタンプを設けてあるので、指針本体上側及び指針先端の上下側を光らせることができる。そして、指針先端に指針本体先端を切り欠いて形成される上下の傾斜面からなる反射用斜面を設けたことにより、指針本体を導光される照明光は指針先端の下方周囲及び上方周辺を照明することができる。これにより、文字板の指標を瞬時に読み取ることができて、計器の視認性を向上させることができる。
【００１７】
また、請求項５に記載の発明は、前記指針本体は、前記反射用斜面が前方下向きの傾斜面と該傾斜面の左右の縁部を切り欠いた傾斜面であると共に、指針本体の下面側にホットスタンプを有することを特徴としている。
【００１８】
このように構成された請求項５に記載の発明では、指針本体を厚くすると共に指針本体の下側に長手方向に沿うホットスタンプを設けてあるので、指針本体上側を光らせることができる。そして、指針先端に前方下向きの傾斜面と該傾斜面の左右の縁部を切り欠いた傾斜面からなる反射用斜面を設けたことにより、指針本体を導光される照明光は指針先端から左右側の下方周囲を照明することができる。これにより、文字板の指標を瞬時に読み取ることができて、計器の視認性を向上させることができる。
【００１９】
【発明の実施の形態】
以下、本発明の実施の形態を図面に基づいて説明する。
【００２０】
〈実施例１〉
図１は計器１の正面図、図２（ａ）は図１のＡ−Ａ線断面矢視図をそれぞれ示している。
【００２１】
図１において、計器１の文字板２は透光性材料からなる光拡散シートにより形成されている。この文字板２の外周近傍には、目盛３及び数値等の文字４等からなる指標５が透光部として形成されている。指標５以外の全面には図示しない遮光膜が印刷等により形成されている。符号６は上記文字板２の表面側に沿って回動して上記指標５を指示する指針を示している。
【００２２】
図２において、計器１は基板７とこの基板７に嵌合しているカバー８とからなる計器本体９を有している。上記基板７には光源１０が設けられている。また、カバー８と一体的に設けられた中板１１には、導光体１２が設けられている。導光体１２の前記光源１０と反対側には、投光部１３が傾斜して設けられていて反射面１４を形成している。
【００２３】
基板７の裏面側にはムーブメント１５が設けられており、このムーブメント１５の出力軸１６は基板７に一体的に形成された軸受１７から突出して回転自在に支持されている。また、カバー８に形成された開口部１８には前記文字板２が取り付けられている。
【００２４】
前記指針６は指針本体６ａと、この指針本体６ａと一体の指針基部１９とを有している。指針基部１９は、図２（ａ）  ，（ｂ）に示すように、平板部２０上に一体的に形成された突起部２１と、指針本体６ａの基部側に設けられた傾斜状態の受光部２２とを有している。
【００２５】
上記受光部２２は反射面２３を形成している。また、指針基部１９はキャップ２４により覆われている。上記指針基部１９の裏面側に一体的に形成された指針軸２５は、前記ムーブメント１５の出力軸１６に嵌合して取り付けられている。
【００２６】
指針本体６ａの指針先端２６は、前方下向きの円弧状部（反射用斜面）２７が形成されている。上記指針本体６ａの先端側の厚さは、指針基部１９側の厚さよりも若干小さい程度の厚さに形成され、指針本体６ａは全体として厚い形状に形成されている。
【００２７】
また、指針本体６ａの長手方向に沿う下面側には、ホットスタンプＨが設けられている。なお、指針先端２６の下側の左右両側に照明光の拡散をよくするため切欠部３０を形成してもよい。
【００２８】
次に、上記のように構成された計器用指針の照明構造の作用を説明する。
【００２９】
光源１０からの照明光２８は、導光体１２を導光されて投光部１３の反射面１４から上方の受光部２２へ反射される。
【００３０】
受光部２２の反射面２３によりさらに反射された照明光２９は、指針本体６ａの指針先端２６に設けられた円弧状面２７により拡散光３１となって、指針先端２６の周囲をスポット的に照明する。上記拡散光３１は、大光量の前方下向きの拡散光３２と、小光量の上方への拡散光３３とを含んでいる。
【００３１】
指針本体６ａの先端２６側の厚さを指針基部１９側の厚さよりも若干小さい程度に厚く形成したことで、指針基部１９側から導光される照明光２９は、指針本体６ａを上下方向に光らせることができる。本実施例では、指針本体６ａにホットスタンプＨを設けたことにより、指針６を上方に光らせることができる。
【００３２】
そして、指針先端２６に反射用斜面としての円弧状面２７を設けたので、指針本体６ａを導光される照明光２９を円弧状面２７により指針先端２６の下方周囲に拡散させて、文字板２の指標５（図１参照）をスポット的に光らせることができる。これにより、文字板２の指標５を瞬時に読み取ることができて、計器１の視認性を向上させることができる。
【００３３】
〈実施例２〉
図３は本発明に関わる実施例２の計器用指針の照明構造の要部を示している。
【００３４】
本実施例においては、指針本体６ａの厚さ方向の中間には、指針本体６ａの長手方向に沿ってホットスタンプＨが配設されていると共に、指針先端２６には反射用斜面としての傾斜面３４が設けられている。なお、指針本体６ａの厚さは、実施例１と同様に厚く形成されている。
【００３５】
指針本体６ａに上記ホットスタンプＨを設けたことにより、反射面２３の下側により反射される下側の照明光２９ａの一部は、ホットスタンプＨにより下側の文字板２側に反射される。また、反射面２３により反射された上側の照明光２９ｂの一部はホットスタンプＨにより指針本体６ａの上側に反射されて、文字板２及び指針６の視認性をよくしている。
【００３６】
そして、指針先端２６の周囲には拡散光３１の前方下向きの拡散光３２が拡散されて指針６により指示される指標５（図１参照）をスポット的に光らせることができる。これにより、文字板２の指標５を瞬時に読み取ることができて、計器１の視認性を向上させることができる。
【００３７】
〈実施例３〉
図４は、本発明の実施例に関わる計器用指針の照明構造の要部を示している。
【００３８】
本実施例においては、指針本体６ａの指針先端２６をい切り欠くことにより、上下の傾斜面、すなわち下傾斜面３５及び上傾斜面３６がそれぞれ連続して形成されている。
【００３９】
さらに、指針本体６ａの長手方向に沿う下面側と、上記下傾斜面３５及び上傾斜面３６とには、ホットスタンプＨが設けられている。指針本体６ａの下面側に沿って上記ホットスタンプＨを設けたことにより、指針６を上方向に光らせることができる。
【００４０】
そして、指針本体６ａを導光される下側の照明光２９ａは、下傾斜面３５により反射されて拡散光３２として文字板２の指標５（図１参照）をスポット的に光らせることができる。これにより、文字板２を瞬時に読み取ることができて、計器１の視認性を向上させることができる。
【００４１】
そして、指針本体６ａを導光される上側の照明光２９ｂは、上傾斜面３６により拡散光３３として上方拡散されて指針６の指針先端２６の視認性をよくしている。
【００４２】
〈実施例４〉
図５（ａ）は、本発明の実施例４に関わる計器用指針の照明構造の平面図、図６は一部縦断した側面図をそれぞれ示している。
【００４３】
同図において、指針６の指針先端２６には、前方下向きの傾斜面３８が設けられていると共に、上記傾斜面３８の左右の縁部を切り欠いて形成される傾斜面３７（図５（ｂ）参照）が設けられている。また、指針本体６ａの長手方向に沿う下面側にはホットスタンプＨが設けられている。
【００４４】
反射面２３により反射されて指針本体６ａ内を導光される照明光２９は、傾斜面３８により拡散されて拡散光３１を発光する。この拡散光３１のうちの下方への拡散光３２により、文字板２の指標５（図１参照）がスポット的に光らされる。
【００４５】
これにより、文字板２の指標５を瞬時に読み取ることができて、文字板２の指標５の視認性を向上させることができる。また、上方への拡散光３３により指針先端２６の視認性を向上させることができる。
【００４６】
以上説明した本発明の実施の形態の計器用指針の照明構造は、文字板２の裏面側に設けられた光源１０から出射される照明光２８を導光すると共に、該照明光２８を上方の文字板２側へ反射する反射面１４を有する導光体１２と、前記文字板２の表面に沿って回動自在であって指針基部１９に前記反射面１４から反射光を受光して長手方向に導光する導光性の指針本体６ａを有する指針６と、を備えている。さらに、前記指針本体６ａは、該指針本体６ａの先端側が指針基部１９側の厚さよりも若干小さい程度の厚さを有すると共に、前記指針本体６ａの指針先端２６に前記指針本体６ａに導光される照明光２９を指針先端２６の下方周囲に拡散可能な反射用斜面（２７，３４，３５，３６，３８）を設けている。
【００４７】
この構成によれば、指針本体６ａの先端２６側の厚さを指針基部１９側の厚さよりも若干小さい程度に厚く形成したことで、指針基部１９側から導光される照明光２９は、指針本体６ａを上下方向に光らせることができる。そして、指針先端２６に反射用斜面（２７，３４，３５，３６，３８）を設けたので、指針６を導光される照明光２９を反射用斜面（２７，３４，３５，３６，３８）により指針先端２６の下方周囲に拡散させて、文字板２の指標５をスポット的に光らせることができる。これにより、文字板２の指標５を瞬時に読み取ることができて、計器１の視認性を向上させることができる。
【００４８】
また、この実施の形態の計器用指針の照明構造は、前記指針本体６ａは、前記反射用斜面２７が前記指針先端２６に形成した前方下向きの円弧状面２７であると共に、前記指針本体６ａの長手方向に沿う下面側にホットスタンプＨを有している。
【００４９】
この構成によれば、指針本体６ａの先端側２６の厚さを指針基部１９側の厚さよりも若干厚くすると共に指針本体６ａ下側の長手方向にホットスタンプＨを設けてあるので、指針６上側を光らせることができる。そして、指針先端２６に前方下向きの円弧状面２７を設けたことにより、指針本体６ａを導光される照明光２９は指針先端２６の下方周囲を照明することができる。これにより、文字板２指標５を瞬時に読み取ることができて、計器１の視認性を向上させることができる。
【００５０】
また、この実施の形態の計器用指針の照明構造は、前記指針本体６ａは、前記反射用斜面が前記指針先端２６に形成した前方下向きの傾斜面３４であると共に、指針６の長手方向に沿う厚さ方向の中間にホットスタンプＨを有している。
【００５１】
この構成によれば、指針本体６ａを厚くすると共に、指針本体６ａの長手方向に沿う厚さ方向の中間にホットスタンプＨを設けてあるので、指針本体６ａの上側及び下側を光らせることができる。そして、指針先端２６に前方下向きの傾斜面からなる反射用斜面３４を設けたことにより、指針本体６ａを導光される照明光２９は指針先端２６から下方周囲を照明することができる。これにより、文字板２の指標５を瞬時に読み取ることができて、計器１の視認性を向上させることができる。
【００５２】
また、本発明の実施の形態の計器用指針の照明構造は、前記指針本体６ａは、前記反射用斜面が指針先端２６を切り欠いて形成される上下の傾斜面３６，３５であると共に、前記指針本体６ａの長手方向に沿う下面側及び前記上下の傾斜面３６，３５にホットスタンプＨをそれぞれ有している。
【００５３】
この構成によれば、指針本体６ａを厚くすると共に指針６の下側の長手方向及び指針先端２６の上下の傾斜面３５，３６にホットスタンプＨを設けてあるので、指針本体６ａ上側及び指針先端２６の上下側を光らせることができる。そして、指針先端２６に指針先端２６を切り欠いて形成される上下の傾斜面３６，３５からなる反射用斜面を設けたことにより、指針本体６ａを導光される照明光２９ａ，２９ｂは指針先端２６の下方周囲及び上方周辺を照明することができる。これにより、文字板２の指標５を瞬時に読み取ることができて、計器１の視認性を向上させることができる。
【００５４】
また、本発明の実施の形態の計器用指針の照明構造は、前記指針本体６は、前記反射用斜面が前方下向きの傾斜面３８と該傾斜面３８の左右の縁部を切り欠いた傾斜面３７であると共に、指針本体６ａの下面側にホットスタンプＨを有している。
【００５５】
この構成によれば、指針本体６ａを厚くすると共に指針本体６ａの下側の長手方向に沿うホットスタンプＨを設けてあるので、指針６の上側を光らせることができる。そして、指針本体６ａ先端に前方下向きの傾斜面３８と該傾斜面３８の左右の縁部を切り欠いた傾斜面３７からなる反射用斜面を設けたことにより、指針本体６ａを導光される照明光２９は指針先端２６から左右側の下方周囲を照明することができる。これにより、文字板２の指標５を瞬時に読み取ることができて、計器１の視認性を向上させることができる。
【００５６】
【発明の効果】
以上説明したように、本発明の請求項１に関わる発明によれば、指針本体の先端側の厚さを指針基部側の厚さよりも若干小さい程度に厚く形成したことで、指針基部側から導光される照明光は、指針の上下方向に光らせることができる。そして、指針先端に反射用斜面を設けたので、指針を導光される照明光を反射用斜面により指針先端の下方周囲に拡散させて、文字板の指標をスポット的に光らせることができる。これにより、文字板の指標を瞬時に読み取ることができて、計器の視認性を向上させることができる。
【００５７】
また、請求項２に関わる発明によれば、指針本体の先端側の厚さを指針基部側の厚さよりも若干厚くすると共に、指針本体下側の長手方向にホットスタンプを設けてあるので指針本体上側を光らせることができる。そして、指針先端に前方下向きの円弧状面を設けたことにより、指針本体を導光される照明光は指針先端の下方周囲を照明することができる。これにより、文字板の指標を瞬時に読み取ることができて、計器の視認性を向上させることができる。
【００５８】
また、請求項３に関わる発明によれば、沿う厚さ方向の中間にホットスタンプを設けてあるので、指針本体の上側及び下側を光らせることができる。そして、指針先端に前方下向きの傾斜面からなる反射用斜面を設けたことにより、指針本体を導光される照明光は指針先端の下方周囲を照明することができる。これにより、文字板指標を瞬時に読み取ることができて、計器の視認性を向上させることができる。
【００５９】
また、請求項４に関わる発明によれば、指針本体を厚くすると共に指針本体下側の長手方向及び指針先端の上下の傾斜面にホットスタンプを設けてあるので、指針本体上側及び指針先端の上下側を光らせることができる。そして、指針先端に指針本体先端を切り欠いて形成される上下の傾斜面からなる反射用斜面を設けたことにより、指針本体を導光される照明光は指針先端の下方周囲及び上方周辺を照明することができる。これにより、文字板の指標を瞬時に読み取ることができて、計器の視認性を向上させることができる。
【００６０】
また、請求項５にに関わる発明によれば、指針本体を厚くすると共に指針本体の下側に長手方向に沿うホットスタンプを設けてあるので、指針本体上側を光らせることができる。そして、指針先端に前方下向きの傾斜面と該傾斜面の左右の縁部を切り欠いた傾斜面からなる反射用斜面を設けたことにより、指針本体を導光される照明光は指針先端から左右側の下方周囲を照明することができる。これにより、文字板の指標を瞬時に読み取ることができて、計器の視認性を向上させることができる。
【図面の簡単な説明】
【図１】本発明の計器用指針の照明構造の実施の形態に関わる計器の正面図である。
【図２】（ａ）図は図１におけるＡ−Ａ線断面矢視図、（ｂ）図は（ａ）図における指針の平面図である。
【図３】本発明の実施例２に関わる計器用指針の照明構造の要部を示す一部断面した側面図である。
【図４】本発明の実施例３に関わる計器用指針の照明構造の要部を示す一部断面した側面図である。
【図５】（ａ）図は本発明の実施例４に関わる計器用指針の平面図、（ｂ）図は（ａ）図のＢ部の拡大図である。
【図６】同じく、実施例４に関わる計器用指針の照明構造の要部を示す一部断面した側面図である。
【符号の説明】
１            計器
２                        文字板
５            指標
６            指針
６ａ          指針本体
１０          光源
１２                  導光体
１４          導光体の反射面
１９          指針基部
２３                    指針の反射面
２６          指針先端
２８          導光体内の照明光
２９          指針本体内の照明光
２９ａ，２９ｂ  指針本体内の照明光
３１                    拡散光
３２                    下方への拡散光
３３                    上方への拡散光
Ｈ            ホットスタンプ
【図１】
2004233292.tif 000003
【図２】
2004233292.tif 000004
【図３】
2004233292.tif 000005
【図４】
2004233292.tif 000006
【図５】
2004233292.tif 000007
【図６】
2004233292.tif 000008